(57)【要約】  整合回路の簡略化もしくは省略を図ることができるラダー型フィルタを提供する。  送信フィルタ４であるラダー型フィルタ。ラダー型フィルタの入力端子４ａに最も近い共振子が並列腕共振子であり、入力端子４ａに最も近い該並列腕共振子が、互いに並列に接続されている複数の分割共振子Ｐ１ａ，Ｐ１ｂを有する。少なくとも１つの分割共振子Ｐ１ａの共振周波数及び反共振周波数が、ラダー型フィルタの通過帯域外にあり、残りの分割共振子Ｐ１ｂ及び並列腕共振子Ｐ２，Ｐ３の反共振周波数が通過帯域内にある。
2016088680.tif 000002
【特許請求の範囲】
【請求項１】
入力端子と、
出力端子と、
前記入力端子と前記出力端子とを結ぶ直列腕に設けられた直列腕共振子と、
前記直列腕とグラウンド電位を結ぶ並列腕に設けられた複数の並列腕共振子と、
を備え、
前記直列腕共振子及び前記複数の並列腕共振子が弾性波共振子からなり、通過帯域を有するラダー型フィルタであって、
前記複数の並列腕共振子が、前記入力端子に最も近くに位置する入力端子側並列腕共振子を含んでおり、
前記入力端子側並列腕共振子が、並列に接続されている複数の分割共振子を有し、
前記複数の分割共振子の少なくとも１つの分割共振子の共振周波数及び反共振周波数が、前記通過帯域外に位置しており、
前記複数の分割共振子の前記少なくとも１つの分割共振子以外の残りの分割共振子及び前記複数の並列腕共振子の前記入力端子側並列腕共振子以外の残りの並列腕共振子の反共振周波数が、前記通過帯域内に位置している、ラダー型フィルタ。
【請求項２】
前記少なくとも１つの分割共振子の電極指ピッチが、前記残りの分割共振子及び前記残りの並列腕共振子の電極指ピッチと異なっている、請求項１に記載のラダー型フィルタ。
【請求項３】
圧電基板と、前記圧電基板上に設けられた複数のＩＤＴ電極とを有する、請求項１または２に記載のラダー型フィルタ。
【請求項４】
前記入力端子から見た前記ラダー型フィルタのインピーダンスが、前記出力端子から見た前記ラダー型フィルタのインピーダンスよりも低い、請求項１〜３のいずれか１項に記載のラダー型フィルタ。
【請求項５】
請求項１〜４のいずれか１項に記載のラダー型フィルタと、
前記ラダー型フィルタの前記入力端子に接続された増幅器と、
を備える、弾性波フィルタモジュール。
【請求項６】
前記ラダー型フィルタが前記圧電基板を有する第１の電子部品チップであり、前記増幅器が、増幅器用基板を有する第２の電子部品チップとして構成されている、請求項５に記載の弾性波フィルタモジュール。
【請求項７】
前記第１及び第２の電子部品チップが、ケース基板に実装されている、請求項６に記載の弾性波フィルタモジュール。
【請求項８】
前記ラダー型フィルタと前記増幅器との間に接続されている整合回路をさらに備える、請求項５〜７のいずれか一項に記載の弾性波フィルタモジュール。
【請求項９】
請求項５〜８のいずれか１項に記載の弾性波フィルタモジュールからなる送信フィルタと、
受信フィルタとを備える、デュプレクサ。
【請求項１０】
共振周波数及び反共振周波数が前記通過帯域外に位置している前記少なくとも１つの分割共振子の前記共振周波数が、前記受信フィルタの通過帯域内に位置している、請求項９に記載のデュプレクサ。
【発明の詳細な説明】
【技術分野】
【０００１】
本発明は、複数の弾性波共振子を有するラダー型フィルタ、弾性波フィルタモジュール及びデュプレクサに関する。
【背景技術】
【０００２】
従来、携帯電話機のアンテナ端にデュプレクサが接続されている。下記の特許文献１に記載のデュプレクサでは、送信フィルタは、複数の弾性表面波共振子を有するラダー型フィルタからなる。このラダー型フィルタの入力端子である送信端子に、増幅器が接続されている。また、インピーダンス整合を図るために、ラダー型フィルタの入力端子と増幅器との間に整合回路が接続されている。整合回路は、ストリップラインと、オープンスタブとを有している。
【先行技術文献】
【特許文献】
【０００３】
【特許文献１】特開２００８−６７４１３号公報
【発明の概要】
【発明が解決しようとする課題】
【０００４】
特許文献１に記載のデュプレクサなどでは、ラダー型フィルタと増幅器とのインピーダンス整合を図るために、上記整合回路を必要としていた。そのため、この整合回路の分だけ、寸法が大きくなっていた。【０００５】
本発明の目的は、整合回路を簡略化あるいは省略することができるラダー型フィルタ、該ラダー型フィルタを有する弾性波フィルタモジュール、及び該弾性波フィルタモジュールを送信フィルタとして備えるデュプレクサを提供することにある。
【課題を解決するための手段】
【０００６】
本発明に係るラダー型フィルタは、入力端子と、出力端子と、前記入力端子と前記出力端子とを結ぶ直列腕に設けられた直列腕共振子と、前記直列腕とグラウンド電位を結ぶ並列腕に設けられた複数の並列腕共振子とを備え、前記直列腕共振子及び前記複数の並列腕共振子が弾性波共振子からなり、通過帯域を有するラダー型フィルタであって、前記複数の並列腕共振子が、前記入力端子に最も近くに位置する入力端子側並列腕共振子を含んでおり、前記入力端子側並列腕共振子が、並列に接続されている複数の分割共振子を有し、前記複数の分割共振子の少なくとも１つの分割共振子の共振周波数及び反共振周波数が、前記通過帯域外に位置しており、前記複数の分割共振子の前記少なくとも１つの分割共振子以外の残りの分割共振子及び前記複数の並列腕共振子の前記入力端子側並列腕共振子以外の残りの並列腕共振子の反共振周波数が、前記通過帯域内に位置している。【０００７】
本発明に係るラダー型フィルタのある特定の局面では、前記少なくとも１つの分割共振子の電極指ピッチが、前記残りの分割共振子及び前記残りの並列腕共振子の電極指ピッチと異なっている。【０００８】
本発明に係るラダー型フィルタの他の特定の局面では、圧電基板と、前記圧電基板上に設けられた複数のＩＤＴ電極とを有する。【０００９】
本発明に係るラダー型フィルタの他の特定の局面では、前記入力端子から見た前記ラダー型フィルタのインピーダンスが、前記出力端子から見た前記ラダー型フィルタのインピーダンスよりも低い。【００１０】
本発明に係る弾性波フィルタモジュールは、本発明に従って構成されているラダー型フィルタと、前記ラダー型フィルタの前記入力端子に接続された増幅器とを備える。【００１１】
本発明に係る弾性波フィルタモジュールのある特定の局面では、前記ラダー型フィルタが前記圧電基板を有する第１の電子部品チップであり、前記増幅器が、増幅器用基板を有する第２の電子部品チップとして構成されている。この場合には、第１の電子部品チップと、第２の電子部品チップを例えばケース基板に実装することにより、小型の弾性波フィルタモジュールを構成することができる。【００１２】
本発明に係る弾性波フィルタモジュールの別の特定の局面では、前記第１及び第２の電子部品チップが、ケース基板に実装されている。この場合には、第１及び第２の電子部品チップがケース基板に実装されて一体化されている。従って、弾性波フィルタモジュールを１つの部品として取り扱うことができる。【００１３】
本発明に係る弾性波フィルタモジュールの別の特定の局面では、前記ラダー型フィルタと前記増幅器との間に接続されている整合回路がさらに備えられている。このように、本発明においては、整合回路が更に備えられていてもよい。この場合、本発明に従ってラダー型フィルタと増幅器とのインピーダンス整合が図られているため、大きな整合回路は必要としない。【００１４】
本発明に係るデュプレクサは、本発明に従って構成されている弾性波フィルタモジュールからなる送信フィルタと、受信フィルタとを備える。送信フィルタの小型化を図ることができるので、デュプレクサ全体の小型化を進めることができる。【００１５】
本発明に係るデュプレクサのある特定の局面では、共振周波数及び反共振周波数が前記通過帯域外に位置している前記少なくとも１つの分割共振子の前記共振周波数が、前記受信フィルタの通過帯域内に位置している。この場合には、受信フィルタ側に、増幅器からのノイズが侵入しがたい。
【発明の効果】
【００１６】
本発明に係るラダー型フィルタによれば、インピーダンス整合を上記少なくとも１つの分割共振子の容量性により図ることができる。従って、インピーダンスを整合するための整合回路を省略したり、簡略化することが可能となる。
【図面の簡単な説明】
【００１７】
【図１】図１は、本発明の第１の実施形態のデュプレクサの回路図である。
【図２】図２は、第１の実施形態における送信フィルタと増幅器とを含む弾性波フィルタモジュールの概略構成図である。
【図３】図３は、第１の実施形態のフィルタモジュール装置の正面図である。
【図４】図４は、第１の実施形態に係るデュプレクサにおける、圧電基板上の電極構造を示す模式的平面図である。
【図５】図５は、第１の実施形態のデュプレクサの送信端におけるインピーダンス特性を示すインピーダンススミスチャートである。
【図６】図６は、比較例１のデュプレクサの送信端におけるインピーダンス特性を示すインピーダンススミスチャートである。
【図７】図７は、比較例２のデュプレクサの送信端におけるインピーダンス特性を示すインピーダンススミスチャートである。
【発明を実施するための形態】
【００１８】
以下、図面を参照しつつ、本発明の具体的な実施形態を説明することにより、本発明を明らかにする。
【００１９】
なお、本明細書に記載の各実施形態は、例示的なものであり、異なる実施形態間において、構成の部分的な置換または組み合わせが可能であることを指摘しておく。
【００２０】
図１は、本発明の第１の実施形態に係るデュプレクサの回路図である。デュプレクサ１は、アンテナ２に接続されるアンテナ端子３を有する。アンテナ端子３とグラウンド電位との間にインダクタＬ１が接続されている。アンテナ端子３に送信フィルタ４及び受信フィルタ５が接続されている。送信フィルタ４は、送信端子である入力端子４ａと、出力端子４ｂとを有する。出力端子４ｂが、アンテナ端子３に接続されている。入力端子４ａには、増幅器６が接続されている。増幅器６は、送信フィルタ４に供給される送信信号を増幅する。
【００２１】
上記送信フィルタ４と増幅器６とにより、本発明の実施形態としての弾性波フィルタモジュール７が構成されている。図２に、弾性波フィルタモジュール７を概略構成図で示す。
【００２２】
図１に戻り、送信フィルタ４は、本発明の実施形態としてのラダー型フィルタである。すなわち、入力端子４ａと出力端子４ｂとを結ぶ直列腕に、複数の直列腕共振子Ｓ１〜Ｓ５が配置されている。
【００２３】
複数の直列腕共振子Ｓ１〜Ｓ５は、それぞれ弾性波共振子としての弾性表面波共振子からなる。
【００２４】
また、直列腕とグラウンド電位とを結ぶ第１〜第３の並列腕４ｃ〜４ｅが設けられている。第１の並列腕４ｃは、入力端子４ａとグラウンド電位とを接続している。入力端子４ａの最も近くに位置する並列腕は、第１の並列腕４ｃである。第１の並列腕４ｃには、並列腕共振子を並列分割することにより設けられた第１，第２の分割共振子Ｐ１ａ，Ｐ１ｂが設けられている。すなわち、入力端子４ａに最も近くに位置する入力端子側並列腕共振子が、第１，第２の分割共振子Ｐ１ａ，Ｐ１ｂに並列分割されている。第１の分割共振子Ｐ１ａと第２の分割共振子Ｐ１ｂとは、第１の並列腕４ｃにおいて、並列に接続されている。ここで、並列分割とは、並列腕共振子を、互いに並列に接続されている複数の分割共振子に分割した構成を言うものとする。そして、本発明における並列分割では分割共振子間には、直列腕共振子は存在していない。
【００２５】
第１の並列腕４ｃにおいては、第１，第２の分割共振子Ｐ１ａ，Ｐ１ｂのグラウンド電位側端部とグラウンド電位との間にインダクタＬ２が接続されている。第２の並列腕４ｄは、直列腕共振子Ｓ２と直列腕共振子Ｓ３との間の接続点とグラウンド電位とを結んでいる。第２の並列腕４ｄには、並列腕共振子Ｐ２が設けられている。第３の並列腕４ｅは、直列腕共振子Ｓ３と、直列腕共振子Ｓ４との間の接続点と、グラウンド電位とを結んでいる。第３の並列腕４ｅには、並列腕共振子Ｐ３が設けられている。
【００２６】
並列腕共振子Ｐ２及び並列腕共振子Ｐ３のグラウンド電位側端部同士が、共通接続点８により共通接続されている。すなわち、第２の並列腕４ｄ及び第３の並列腕４ｅは、共通接続点８により共通接続されている。この共通接続点８とグラウンド電位との間にインダクタＬ３が接続されている。第１，第２の分割共振子Ｐ１ａ，Ｐ１ｂ及び並列腕共振子Ｐ２，Ｐ３は、それぞれ、弾性表面波共振子からなる。
【００２７】
本実施形態の弾性波フィルタモジュール７の特徴は、上記送信フィルタ４の入力端子４ａに最も近い共振子が、直列腕共振子ではなく、並列腕共振子であること、この並列腕共振子が並列分割されていることにある。そして、第１の分割共振子Ｐ１ａの共振周波数及び反共振周波数が送信フィルタ４の通過帯域外に位置している。
【００２８】
よって、後述する実施例から明らかなように、第１の分割共振子Ｐ１ａは、送信フィルタ４の通過帯域において容量として作用する。そのため、増幅器６と送信フィルタ４との間のインピーダンス整合を図ることが可能とされている。よって、弾性波フィルタモジュール７では、送信フィルタ４と増幅器６との間に設ける整合回路を省略できる。そのため、弾性波フィルタモジュール７の小型化を図ることができる。
【００２９】
なお、並列腕共振子の複数の分割共振子における第１の分割共振子Ｐ１ａの残りの並列腕共振子である第２の分割共振子Ｐ１ｂ、並列腕共振子Ｐ２，Ｐ３の反共振周波数は送信フィルタ４の通過帯域内にある。すなわち、並列分割された複数の分割共振子における第１の分割共振子Ｐ１ａに対する残りの第２の分割共振子Ｐ１ｂと、複数の並列腕共振子における並列腕共振子Ｐ１ａ，Ｐ１ｂに対する残りの並列腕共振子Ｐ２，Ｐ３とは、送信フィルタ４の通過帯域を構成している。
【００３０】
本実施形態では、入力端子４ａに最も近い並列腕共振子を第１，第２の分割共振子Ｐ１ａ，Ｐ１ｂに並列分割している。本発明においては、並列分割により形成される分割共振子の数は２個に限定されない。すなわち、入力端子４ａに最も近い並列腕共振子を、３以上の分割共振子に並列分割してもよい。いずれにしても、複数の分割共振子の内少なくとも１つの分割共振子を第１の分割共振子とした場合、第１の分割共振子に対する残りの分割共振子を上記第２の分割共振子と同様な構成で用いればよい。
【００３１】
好ましくは、本実施形態のように、第１，第２の分割共振子Ｐ１ａ，Ｐ１ｂがそれぞれ１個であることが望ましい。それによって、小型化を進めることができる。
【００３２】
図１に示す受信フィルタ５は、縦結合共振子型の弾性表面波フィルタ９を有する。受信フィルタ５は入力端子５ａと、受信端子５ｂとしての出力端子とを有する。入力端子５ａと縦結合共振子型の弾性表面波フィルタ９との間に弾性波共振子１０が接続されている。また、縦結合共振子型の弾性表面波フィルタ９と受信端子５ｂとの間の接続点とグラウンド電位との間に弾性波共振子１１が接続されている。
【００３３】
本発明において、受信フィルタ５の回路構成はこれに限定されるものではなく、適宜に変形することができる。受信フィルタ５は、複数の弾性波共振子を有するラダー型フィルタであってもよい。
【００３４】
本実施形態の弾性波フィルタモジュール７の物理的構造例を図３及び図４を参照して説明する。
【００３５】
図３は、上記デュプレクサ１及び増幅器６が構成されているフィルタモジュール装置２０の正面図である。フィルタモジュール装置２０は、ケース基板２１を有する。ケース基板２１上に第１の電子部品チップ２２と、第２の電子部品チップ２３とが実装されている、第１の電子部品チップ２２は、図１に示した送信フィルタ４及び受信フィルタ５を構成している。第２の電子部品チップ２３は増幅器６を構成している。フィルタモジュール装置２０では、ケース基板２１に第１，第２の電子部品チップ２２，２３が搭載されて一体化されている。従って、図１に示した回路構成が、１つの電子部品であるフィルタモジュール装置２０により実現されている。従って、携帯電話機などへのデュプレクサ１及び増幅器６の搭載を容易に行うことができる。
【００３６】
第１の電子部品チップ２２は、圧電基板２４を有する、圧電基板２４の一方主面に、ＩＤＴ電極２５が形成されている。ＩＤＴ電極２５は、弾性表面波共振子を構成している。この圧電基板２４の一方主面の電極構造を図４に模式的平面図で示す。圧電基板２４の一方主面上において前述した直列腕共振子Ｓ１〜Ｓ５、第１，第２の分割共振子Ｐ１ａ，Ｐ１ｂ、並列腕共振子Ｐ２，Ｐ３が構成されている。図４では、各共振子が構成されている部分をＸを矩形の枠で囲んだ記号で模式的に示してある。実際には、各弾性表面波共振子は、ＩＤＴ電極と、弾性表面波の伝搬方向においてＩＤＴ電極の両側に配置された反射器とを有する、弾性表面波共振子である。
【００３７】
また、圧電基板２４上においては、アンテナ端子３に、破線で示す受信フィルタ５が接続されている。受信フィルタ５が構成されている部分は、破線で領域のみを示すこととする。
【００３８】
なお、図３及び図４においては、第１の電子部品チップ２２は、上記送信フィルタ４及び受信フィルタ５の双方を有するように構成されていたが、本発明においては、第１の電子部品チップ２２は、送信フィルタ４のみを有していてもよい。すなわち、弾性波フィルタモジュール７は、デュプレクサの送信フィルタに限定されず、ラダー型フィルタと、増幅器の送信フィルタとを接続した回路構成を有しておればよい。
【００３９】
また、弾性波共振子としても、上記弾性表面波共振子に限定されず、弾性境界波共振子や圧電薄膜を用いたバルク波共振子などの他の弾性波共振子を用いてもよい。
【００４０】
また、第１の分割共振子Ｐ１ａの共振特性を、第２の分割共振子Ｐ１ｂの共振特性と異ならせるに際しては、本実施形態では、第１の分割共振子Ｐ１ａにおけるＩＤＴ電極の電極指ピッチを、第２の分割共振子Ｐ１ｂのＩＤＴ電極の電極指ピッチと異ならせることにより実現している。すなわち、第１の分割共振子Ｐ１ａの共振周波数及び反共振周波数が、送信フィルタ４の通過帯域外に位置するように、第１の分割共振子Ｐ１ａの電極指ピッチが定められている。
【００４１】
もっとも、第１の分割共振子Ｐ１ａの共振周波数及び反共振周波数を通過帯域外に位置させる構成については、ＩＤＴ電極の電極指のメタライゼーション比あるいは膜厚の変更などの他の方法を用いてもよい。
【００４２】
また、第１の分割共振子Ｐ１ａは、送信フィルタ４の通過帯域内において共振周波数及び反共振周波数を有しない。第１の分割共振子Ｐ１ａは、共振周波数においては、入力された信号をグラウンド電位に逃がす。従って、第１の分割共振子Ｐ１ａの共振周波数における減衰量を大きくすることができるので、送信フィルタ４の帯域外減衰量の拡大を図ることもできる。
【００４３】
好ましくは、第１の分割共振子Ｐ１ａの共振周波数を、受信フィルタ５の通過帯域、すなわち、受信帯域に設定することが望ましい。それによって、受信帯域における送信フィルタ４の減衰量を大きくすることができる。そのため、送信フィルタと受信フィルタ間のアイソレーション特性を改善することが可能となる。
【００４４】
また、増幅器６からのノイズが送信フィルタ４を介して受信フィルタ５に混入すると、受信感度が低下する恐れがある。上記のように第１の分割共振子Ｐ１ａの共振周波数が受信帯域に設定されている場合には、この受信フィルタ５側への増幅器６のノイズも侵入し難くなる。
【００４５】
上記のように、第１の分割共振子Ｐ１ａの共振周波数及び反共振周波数が送信フィルタ４の通過帯域外にあり、残りの並列腕共振子Ｐ２，Ｐ３の反共振周波数が通過帯域内にあるため、インピーダンス整合を良好に図ることができ、かつ送信端子である入力端子４ａから見た送信フィルタ４の入力インピーダンスを４５Ω以下と低くすることができる。
【００４６】
なお、出力端子４ｂから見た送信フィルタ４の出力インピーダンスは５０Ωである。すなわち、入力端子４ａから見た送信フィルタ４の入力インピーダンスは、出力端子４ｂから見た送信フィルタ４の出力インピーダンスよりも低くされている。
【００４７】
それによって、５０Ωよりも低い出力インピーダンスを有する増幅器６と、増幅器６に接続され、４５Ω以下の入力インピーダンスを有する送信フィルタ４とのインピーダンス整合を有効に図ることができる。
【００４８】
なお、複数の分割共振子である第１，第２の分割共振子Ｐ１ａ，Ｐ１ｂにおいては、共振周波数及び反共振周波数が送信フィルタ４の通過帯域外に位置する第１の分割共振子Ｐ１ａが入力端子４ａに近い側に位置している。
【００４９】
次に、具体的な実施例につき説明する。
【００５０】
Ｂａｎｄ１３のデュプレクサに適用した例を説明する。Ｂａｎｄ１３では、送信帯域は７７７ＭＨｚ以上、７８７ＭＨｚ以下であり、受信帯域は７４６ＭＨｚ以上、７５６ＭＨｚ以下である。
【００５１】
実施例のデュプレクサにおける送信フィルタの電極指ピッチ、交差幅及び電極指の対数は下記の表１に示す通りとした。
【００５２】
【表１】
2016088680.tif 000003
【００５３】
表１から明らかなように、本実施例では、第１の分割共振子Ｐ１ａの電極指ピッチを２．２１５μｍ、第２の分割共振子Ｐ１ｂの電極指ピッチを２．５３３μｍとした。第１の分割共振子Ｐ１ａと、第２の分割共振子Ｐ１ｂの電極指の対数は等しくした。
【００５４】
並列腕共振子Ｐ２，Ｐ３の電極指ピッチはそれぞれ、２．５３８μｍ、２．５４８μｍとした。
【００５５】
第１の分割共振子Ｐ１ａの共振周波数は８５６ＭＨｚ、反共振周波数は８８２ＭＨｚである。
【００５６】
比較のために、以下の比較例１及び比較例２のデュプレクサを用意した。比較例１では、第１，第２の分割共振子Ｐ１ａ，Ｐ１ｂに代えて、下記の表２に示す設計パラメータの並列腕共振子Ｐ１ｘを用いた。
【００５７】
【表２】
2016088680.tif 000004
【００５８】
表２から明らかなように、比較例１における並列腕共振子Ｐ１ｘの電極指ピッチは２．５４３μｍであり、その共振周波数は７６２ＭＨｚ、反共振周波数７８６ＭＨｚである。従って、並列腕共振子Ｐ１ｘは、通過帯域を構成している。また、電極指の交差幅は１６２μｍであり、実施例における第１，第２の分割共振子Ｐ１ａ，Ｐ１ｂの２倍である。言い換えれば、比較例１の並列腕共振子Ｐ１ｘの大きさは、第１の分割共振子Ｐ１ａと第２の分割共振子Ｐ１ｂとを合わせた大きさに相当する。
【００５９】
比較例２では、第１，第２の分割共振子Ｐ１ａ，Ｐ１ｂに代えて、下記の表３に示す並列腕共振子Ｐ１ｙを用いた。
【００６０】
【表３】
2016088680.tif 000005
【００６１】
表３に示す並列腕共振子Ｐ１ｙでは、電極指ピッチが２．０４４μｍであり、共振周波数は９１０ＭＨｚ、反共振周波数９３７ＭＨｚである。この並列腕共振子Ｐ１ｙは、共振周波数及び反共振周波数が送信フィルタ４の通過帯域外に位置している。
【００６２】
また、比較例２では、並列腕共振子Ｐ１ｙの交差幅を４１μｍと小さくし、かつ電極指ピッチを２．０４４μｍと小さくした。
【００６３】
図５は、上記実施例における送信端、すなわち入力端子４ａにおけるインピーダンス特性を示すインピーダンススミスチャートである。図６及び図７はそれぞれ、比較例１及び比較例２における送信フィルタの入力端子におけるインピーダンス特性を示す各インピーダンススミスチャートである。図５〜図７において、太線部分が送信フィルタの通過帯域に相当する。
【００６４】
図５〜図７から読み取った、入力端子における周波数７７７ＭＨｚ、７８２ＭＨｚ及び７８７ＭＨｚにおける入力端子のインピーダンス値を下記の表４〜表６にそれぞれ示す。
【００６５】
【表４】
2016088680.tif 000006
【００６６】
【表５】
2016088680.tif 000007
【００６７】
【表６】
2016088680.tif 000008
【００６８】
図５及び表４に示されているように、上記実施例では、通過帯域における入力端子４ａから見た送信フィルタのインピーダンスが５０Ωよりも小さくなっており、かつ通過帯域内におけるインピーダンスのばらつきも小さいことがわかる。
【００６９】
これに対して、図６及び表５に示す比較例１では、通過帯域におけるばらつきは少ないものの、入力端子から見た送信フィルタのインピーダンスは５０Ω程度であり、インピーダンスは低められていない。
【００７０】
また、図７及び表６に示した比較例２では、通過帯域におけるインピーダンスが５０Ωよりも低められている。すなわち、１つの並列腕共振子Ｐ１ｙを容量として用いることにより、インピーダンスを低めることは可能とされている。しかしながら、上記実施例より比較例２が、通過帯域におけるインピーダンスのばらつきの点で大きいことが分かる。よって、通過帯域の全域において増幅器とのインピーダンスマッチングを良好とし難い。
【００７１】
なお、上記実施形態の弾性波フィルタモジュール７では、整合回路は設けられていなかったが、図２に破線で示すように、入力端子４ａと、増幅器６との間に整合回路３１を設けてもよい。この場合であっても、第１の分割共振子Ｐ１ａによりインピーダンスが低められているため、整合回路３１を、従来のインピーダンス整合用の整合回路よりもはるかに小さな部品で構成することができる。従って、整合回路の簡略化を図り、小型化を図ることができる。
【符号の説明】
【００７２】
１…デュプレクサ
２…アンテナ
３…アンテナ端子
４…送信フィルタ
４ａ…入力端子
４ｂ…出力端子
４ｃ〜４ｅ…第１〜第３の並列腕
５…受信フィルタ
５ａ…入力端子
５ｂ…受信端子
６…増幅器
７…弾性波フィルタモジュール
８…共通接続点
９…弾性表面波フィルタ
１０，１１…弾性波共振子
２０…フィルタモジュール装置
２１…ケース基板
２２，２３…第１，第２の電子部品チップ
２４…圧電基板
２５…ＩＤＴ電極
３１…整合回路
Ｌ１〜Ｌ３…インダクタ
Ｐ１ａ，Ｐ１ｂ…第１，第２の分割共振子
Ｐ２，Ｐ３…並列腕共振子
Ｓ１〜Ｓ５…直列腕共振子
【図１】
2016088680.tif 000009
【図２】
2016088680.tif 000010
【図３】
2016088680.tif 000011
【図４】
2016088680.tif 000012
【図５】
2016088680.tif 000013
【図６】
2016088680.tif 000014
【図７】
2016088680.tif 000015
【国際調査報告】
2016088680.tif 000016
2016088680.tif 000017
2016088680.tif 000018
2016088680.tif 000019